(57)【特許請求の範囲】
【請求項１】
複数のアンテナと、
ローカル信号を発生するローカル信号発生部と、
前記複数のアンテナのうち、第１のアンテナからの信号と、前記ローカル信号発生部からのローカル信号とを混合する第１の混合器と、
デジタル信号に、前記第１の混合器からの信号を変換する第１のアナログデジタル変換部と、
第１のアナログデジタル変換部からの第１の信号に基づいて、第１の干渉波を検出する第１の干渉波検出部と、
該第１の干渉波検出部により検出されるべき第１の干渉波に基づいて、該第１の干渉波の中心周波数を第１の方向にシフトさせた周波数を中心周波数とする第１のフィルタにより、前記第１の信号から前記第１の干渉波を除去する処理を行う第１の干渉波除去部と、
前記複数のアンテナのうち、第２のアンテナからの信号と、前記ローカル信号発生部からのローカル信号とを混合する第２の混合器と、
デジタル信号に、前記第２の混合器からの信号を変換する第２のアナログデジタル変換部と、
第２のアナログデジタル変換部からの第２の信号に基づいて、第２の干渉波を検出する第２の干渉波検出部と、
該第２の干渉波検出部により検出されるべき第２の干渉波に基づいて、該第２の干渉波の中心周波数を第２の方向にシフトさせた周波数を中心周波数とする第２のフィルタにより、前記第２の信号から前記第２の干渉波を除去する処理を行う第２の干渉波除去部と、
前記第１の干渉波除去部から出力されるべき信号と、前記第２の干渉波除去部から出力されるべき信号とを合成する合成部と
を有する、基地局。
【請求項２】
請求項１に記載の基地局において、
前記第１の干渉波検出部は、
前記第１の信号を高速フーリエ変換する第１の高速フーリエ変換部と、
該第１の高速フーリエ変換部により高速フーリエ変換された第１の信号の信号レベルを算出する第１の信号レベル算出部と、
該第１の信号レベル算出部により算出された第１の信号レベルを平均化する第１の平均化部と、
該第１の平均化部により平均化された第１の信号レベルに基づいて、前記第１の干渉波を検出する際に使用すべき第１の閾値を設定する第１の閾値設定部と、
該第１の閾値設定部により設定されるべき第１の閾値に基づいて、前記第１の平均化部により出力されるべき信号から前記第１の閾値以上であり、且つ信号レベルが最大となるピーク信号を検出する第１のピーク検出部と
を有し、
前記第１の干渉波除去部は、前記第１のピーク検出部により検出されるべきピーク信号に基づいて選択されるべき第１のフィルタにより、前記第１の信号から前記第１の干渉波を除去する処理を行い、
前記第２の干渉波検出部は、
前記第２の信号を高速フーリエ変換する第２の高速フーリエ変換部と、
該第２の高速フーリエ変換部により高速フーリエ変換された第２の信号の信号レベルを算出する第２の信号レベル算出部と、
該第２の信号レベル算出部により算出された第２の信号レベルを平均化する第２の平均化部と、
該第２の平均化部により平均化された第２の信号レベルに基づいて、前記第２の干渉波を検出する際に使用すべき第２の閾値を設定する第２の閾値設定部と、
該第２の閾値設定部により設定されるべき第２の閾値に基づいて、前記第２の平均化部により出力されるべき信号から前記第２の閾値以上であり、且つ信号レベルが最大となるピーク信号を検出する第２のピーク検出部と
を有し、
前記第２の干渉波除去部は、前記第２のピーク検出部により検出されるべきピーク信号に基づいて選択されるべき第２のフィルタにより、前記第２の信号から前記第２の干渉波を除去する処理を行う、基地局。
【請求項３】
請求項２に記載の基地局において、
干渉波が検出された周波数と、該干渉波の中心周波数を前記第１の方向にシフトさせた周波数を中心周波数とするフィルタとを対応付けた第１のテーブルと、
干渉波が検出された周波数と、該干渉波の中心周波数を前記第２の方向にシフトさせた周波数を中心周波数とするフィルタとを対応付けた第２のテーブルと
を有し、
前記第１の干渉波除去部は、前記第１のテーブルを参照し、前記第１のピーク検出部により検出されるべきピーク信号に基づいて、第１のフィルタを選択し、
前記第２の干渉波除去部は、前記第２のテーブルを参照し、前記第２のピーク検出部により検出されるべきピーク信号に基づいて、第２のフィルタを選択する、基地局。
【請求項４】
複数のアンテナを有する受信装置における受信方法であって、
ローカル信号を発生するローカル信号発生ステップと、
前記複数のアンテナのうち、第１のアンテナからの信号と、前記ローカル信号発生ステップからのローカル信号とを混合する第１の混合ステップと、
デジタル信号に、前記第１の混合ステップにより出力されるべき信号を変換する第１のアナログデジタル変換ステップと、
第１のアナログデジタル変換ステップにより出力されるべき第１の信号に基づいて、第１の干渉波を検出する第１の干渉波検出ステップと、
該第１の干渉波検出ステップにより検出されるべき第１の干渉波に基づいて、該第１の干渉波の中心周波数を第１の方向にシフトさせた周波数を中心周波数とする第１のフィルタにより、前記第１の信号から前記第１の干渉波を除去する処理を行う第１の干渉波除去ステップと、
前記複数のアンテナのうち、第２のアンテナからの信号と、前記ローカル信号発生ステップからのローカル信号とを混合する第２の混合ステップと、
デジタル信号に、前記第２の混合ステップにより出力されるべき信号を変換する第２のアナログデジタル変換ステップと、
第２のアナログデジタル変換ステップにより出力されるべき第２の信号に基づいて、第２の干渉波を検出する第２の干渉波検出ステップと、
該第２の干渉波検出ステップにより検出されるべき第２の干渉波に基づいて、該第２の干渉波の中心周波数を第２の方向にシフトさせた周波数を中心周波数とする第２のフィルタにより、前記第２の信号から前記第２の干渉波を除去する処理を行う第２の干渉波除去ステップと、
前記第１の干渉波除去ステップから出力されるべき信号と、前記第２の干渉波除去ステップから出力されるべき信号とを合成する合成ステップと
を有する、受信方法。
【発明の詳細な説明】
【技術分野】
【０００１】
本発明は、無線通信システムに関する。
【背景技術】
【０００２】
近年、移動体無線通信システムには、不法パーソナル無線などによる干渉波を除去する技術が求められている。
【０００３】
干渉波を除去する技術として、以下の技術が知られている。
【０００４】
図１は、受信装置１０の一例を示す。
【０００５】
アンテナからの受信信号は、RF(Radio Frequency)部１２に入力される。該受信信号は、希望波と、干渉波とが含まれる。RF部１２は、受信信号を中間周波数に変換し、ADC(Analog Digital Converter)１４に入力する。ADC１４は、デジタル信号に、RF部１２から入力された受信信号を変換し、フィルタ１６に入力する。フィルタ１６は、ADC１４から入力されたデジタル信号から不要な周波数成分の信号を除去し、干渉除去部１８に入力する。干渉除去部１８は、フィルタ１６からのデジタル信号から干渉波成分を除去し、DGC(Digital Gain Control)２０に入力する。DGC２０は、干渉除去部１８からの信号に対して、ゲイン制御を行い、BB(Baseband)処理部２２に入力する。BB２２は、DGC２０からの信号に対してベースバンド処理を行う。
【０００６】
干渉除去部１８における処理について説明する。
【０００７】
デジタルＩ信号、デジタルＱ信号に変換された受信信号は、干渉波検出部１８２において高速フーリエ変換されることにより干渉波の周波数が検波される。干渉波検出部１８２は、干渉波の周波数と、該干渉波の帯域を表す情報とを干渉除去処理部１８４に入力する。干渉除去処理部１８４は、フィルタ１６からのデジタル信号に、干渉波検出部１８２により入力されるべき干渉波の周波数と、該干渉波の帯域を表す情報とに基づいて、複素ノッチフィルタをあてがうことにより、干渉波を除去する。複素ノッチフィルタをあてがうことにより、干渉波を非常に低いレベルに減衰させることができるためである。
【０００８】
アンテナブランチ毎に干渉波を抽出して、該干渉波を除去し、該干渉波の除去後に合成する技術が知られている（例えば、特許文献１参照）。
【先行技術文献】
【特許文献】
【０００９】
【特許文献１】特開２００７−６２１９号公報
【発明の概要】
【発明が解決しようとする課題】
【００１０】
ダイバーシチ受信を考える。
【００１１】
図２は、ダイバーシチ受信を行う受信装置５０の一例を示す。図２に示される例では、２本のアンテナで、同一の無線信号が受信される。
【００１２】
受信装置５０により受信される信号には、希望波(Desired Signal)と、干渉波とが含まれる。干渉波には、フロアーノイズと、広帯域干渉波とが含まれる。広帯域干渉波は、ある程度の帯域を有する干渉波である。該干渉波は、妨害波と呼ばれる場合もある。
【００１３】
アンテナ#1からの受信信号は、RF部５２１において受信され、混合器５４１に入力される。
【００１４】
一方、電圧制御発振器(VCO: voltage controlled oscillator)６２により生成されたローカル信号は、分配器(Divider)６４に入力される。分配器６４は、電圧制御発振器６２からのローカル信号を分配し、混合器５４１に入力する。
【００１５】
混合器５４１は、分配器６４からのローカル信号と、RF部５２１からの信号とをミキシングすることにより中間周波数(IF: Intermediate Frequency)の信号に変換し、ADC５６１に入力する。中間周波数の信号に変換する際に、ローカル信号の位相雑音が、該中間周波数の信号に付着する場合がある。
【００１６】
ADC５６１は、デジタル信号に、混合器５４１からの中間周波数の信号を変換し、複素ノッチフィルタ５８１に入力する。複素ノッチフィルタ５８１は、ADC５６１からのデジタル信号に対して、干渉波を非常に低いレベルに減衰させる処理を行うことにより、干渉波を除去するための処理を行う。複素ノッチフィルタ５８１は、BB処理部６０に、干渉波を除去するための処理が行われたデジタル信号を入力する。複素ノッチフィルタ５８１により干渉波を低いレベルに減衰させる処理が実行されても、ローカル信号の位相雑音については、十分に除去されない場合がある。つまり、ローカル信号の位相雑音が複素ノッチフィルタ５８１で完全には除去されず、切れ残る場合がある。
【００１７】
アンテナ#1からの受信信号と同様に、アンテナ#2からの受信信号は、RF部５２２において受信され、混合器５４２に入力される。
【００１８】
混合器５４２は、分配器６４からのローカル信号と、RF部５２２からの信号とをミキシングすることにより中間周波数の信号に変換し、ADC５６２に入力する。中間周波数の信号に変換する際に、ローカル信号の位相雑音が、該中間周波数の信号に付着する場合がある。
【００１９】
ADC５６２は、デジタル信号に、混合器５４２からの中間周波数の信号を変換し、複素ノッチフィルタ５８２に入力する。複素ノッチフィルタ５８２は、ADC５６２からのデジタル信号に対して、干渉波を非常に低いレベルに減衰させる処理を行うことにより、干渉波を除去するための処理を行う。複素ノッチフィルタ５８２は、BB処理部６０に、干渉波を除去するための処理が行われたデジタル信号を入力する。複素ノッチフィルタ５８２により干渉波を低いレベルに減衰させる処理が実行されても、ローカル信号の位相雑音については、十分に除去されない場合がある。つまり、ローカル信号の位相雑音が複素ノッチフィルタ５８２で完全には除去されず、切れ残る場合がある。
【００２０】
BB処理部６０は、複素ノッチフィルタ５８１からの信号と、複素ノッチフィルタ５８２からの信号とをダイバーシチ合成する。該ダイバーシチ合成の際に、複素ノッチフィルタ５８１からの信号に含まれる該複素ノッチフィルタ５８１により除去が十分でなかったローカル信号の位相雑音と、複素ノッチフィルタ５８２からの信号に含まれる該複素ノッチフィルタ５８２により除去が十分でなかったローカル信号の位相雑音とがダイバーシチ合成される。複素ノッチフィルタ５８１からの信号に含まれるローカル信号の位相雑音、複素ノッチフィルタ５８２からの信号に含まれるローカル信号の位相雑音は、同じ電圧制御発振器６２からのローカル信号に基づいて発生した付着位相雑音であるため、お互いに相関を有する。お互いに相関を有するため、ダイバーシチ合成される際に付着位相雑音が必要以上に強調される。従って、BB処理部６０では、最大比合成利得が理論、期待値まで得られないため、ダイバーシチ効果が低下する場合がある。
【００２１】
開示の基地局は、ダイバーシチ効果を向上させることを目的とする。
【課題を解決するための手段】
【００２２】
開示の一実施例の基地局は、
複数のアンテナと、
ローカル信号を発生するローカル信号発生部と、
前記複数のアンテナのうち、第１のアンテナからの信号と、前記ローカル信号発生部からのローカル信号とを合成する第１の混合器と、
デジタル信号に、前記第１の混合器からの信号を変換する第１のアナログデジタル変換部と、
第１のアナログデジタル変換部からの第１の信号に基づいて、第１の干渉波を検出する第１の干渉波検出部と、
該第１の干渉波検出部により検出されるべき第１の干渉波に基づいて、該第１の干渉波の中心周波数を第１の方向にシフトさせた周波数を中心周波数とする第１のフィルタにより、前記第１の信号から前記第１の干渉波を除去する処理を行う第１の干渉波除去部と、
前記複数のアンテナのうち、第２のアンテナからの信号と、前記ローカル信号発生部からのローカル信号とを合成する第２の混合器と、
デジタル信号に、前記第２の混合器からの信号を変換する第２のアナログデジタル変換部と、
第２のアナログデジタル変換部からの第２の信号に基づいて、第２の干渉波を検出する第２の干渉波検出部と、
該第２の干渉波検出部により検出されるべき第２の干渉波に基づいて、該第２の干渉波の中心周波数を第２の方向にシフトさせた周波数を中心周波数とする第２のフィルタにより、前記第２の信号から前記第２の干渉波を除去する処理を行う第２の干渉波除去部と、
前記第１の干渉波除去部から出力されるべき信号と、前記第２の干渉波除去部から出力されるべき信号とを合成する合成部と
を有する。
【発明の効果】
【００２３】
開示の実施例によれば、ダイバーシチ効果を向上できる。
【図面の簡単な説明】
【００２４】
【図１】受信装置の一例を示す図である。
【図２】受信装置の一例を示す図である。
【図３】基地局の一実施例を示すブロック図である。
【図４】基地局の信号処理の一実施例を示す図である。
【図５】基地局の一実施例を示す部分ブロック図である。
【図６】基地局の信号処理の一実施例を示す図である。
【図７】基地局の信号処理の一実施例を示す図である。
【図８】基地局の信号処理の一実施例を示す図である。
【図９】干渉波検出周波数フィルタ係数対応テーブルの一実施例を示す図である。
【図１０】基地局の一実施例を示す部分ブロック図である。
【図１１】干渉波検出周波数フィルタ係数対応テーブルの一実施例を示す図である。
【図１２】フィルタ離調周波数と、ビットエラーレートとの間の関係の一例を示す図である。
【図１３】基地局の動作の一実施例を示すフローチャートである。
【発明を実施するための形態】
【００２５】
以下、図面に基づいて、実施例を説明する。
なお、実施例を説明するための全図において、同一機能を有するものは同一符号を用い、繰り返しの説明は省略する。
【００２６】
＜基地局＞
図３は、基地局１００の一実施例を示す。図４は、基地局１００の各機能ブロックからの出力信号を示す。図３、図４には、主に、基地局１００の有する受信装置の部分が説明され、該受信装置の部分以外の部分は、無線ネットワーク制御装置として表される。
【００２７】
基地局１００では、複数のアンテナで受信された各信号に対して、干渉波を低いレベルに減衰させる処理が行われる。つまり、基地局１００は、ユーザ端末（図示なし）等により送信されるべき無線信号を受信する。該基地局１００では、干渉波を低いレベルに減衰させる処理が行われる際に検出されるべき干渉波の周波数に対して、それぞれ、異なる周波数方向にシフトさせた中心周波数の複素ノッチフィルタにより干渉波が除去される。つまり、複数のアンテナで受信された各信号に含まれる干渉波の周波数に対して、それぞれ異なる周波数方向にシフトさせた中心周波数に対応するフィルタ係数を有する複素ノッチフィルタが設定される。複素ノッチフィルタにより干渉波が除去される際に使用されるフィルタ係数を異なる値に設定することにより、BB部に入力されるべき各信号は、複素ノッチフィルタで除去できなかった位相雑音の周波数が異なる部分が多いものとなる。位相雑音の周波数が異なるため、ダイバーシチ合成しても、互いに強調される部分が少なくなる。従って、ダイバーシチ合成後の信号は、十分に最大比合成利得が得られるため、ダイバーシチ効果を向上させることができる。
【００２８】
基地局１００は、複数のアンテナを有する。一例として、基地局１００が２本のアンテナを有する場合について説明する。基地局１００が３本以上のアンテナを有する場合についても、各アンテナからの信号に対して、フィルタ係数を適切に設定することにより適用できる。干渉波として妨害波が受信される場合についても同様に適用できる。
【００２９】
基地局１００は、RF部１０２１を有する。RF部１０２１は、アンテナ#1と接続される。RF部１０２１は、アンテナ#1からの無線信号を受信し、混合器１０４１に入力する。RF部１０２１の出力信号は、図４において（１）に対応する出力信号に示されるように、希望波と、フロアーノイズと、干渉波とが含まれる。
【００３０】
基地局１００は、電圧制御発振器１１６を有する。電圧制御発振器１１６は、ローカル信号を発生する。ローカル信号は、図４において（２）に対応する出力信号に示されるように、電圧制御発振器１１６の発振信号である。電圧制御発振器１１６は、分配器１１８に、ローカル信号を入力する。
【００３１】
基地局１００は、分配器１１８を有する。分配器１１８は、電圧制御発振器１１６と接続される。分配器１１８は、電圧制御発振器１１６からのローカル信号を分配し、混合器１０４１と、混合器１０４２に入力する。
【００３２】
基地局１００は、混合器１０４１を有する。混合器１０４１は、RF部１０２１と、分配器１１８と接続される。混合器１０４１は、分配器１１８からのローカル信号と、RF部１０２１からの信号とをミキシングすることにより中間周波数の信号に変換し、ADC１０６１に入力する。中間周波数の信号に変換する際に、電圧制御発振器１１６からのローカル信号の位相雑音が、該中間周波数の信号に付着する場合がある。
【００３３】
基地局１００は、ADC１０６１を有する。ADC１０６１は、混合器１０４１と接続される。ADC１０６１は、デジタル信号に、混合器１０４１からの信号を変換する。該ADC１０６１は、フィルタ１０８１に、該デジタル信号を入力する。ADC１０６１からの出力信号は、図４において（３）に対応する出力信号に示されるように、希望波と、フロアーノイズと、干渉波とが含まれ、さらに、ローカル信号の位相雑音が、干渉波の周波数の近傍の周波数に現れる。
【００３４】
基地局１００は、フィルタ１０８１を有する。フィルタ１０８１は、ADC１０６１と接続される。フィルタ１０８１は、ADC１０６１からの信号から不要な周波数成分の信号を除去し、干渉除去部１１０１に入力する。
【００３５】
基地局１００は、干渉除去部１１０１を有する。干渉除去部１１０１は、フィルタ１０８１と接続される。干渉除去部１１０１は、フィルタ１０８１からのデジタル信号から干渉波成分を除去するための処理を行い、DGC１１２１入力する。
【００３６】
基地局１００は、DGC１１２１を有する。DGC１１２１は、干渉除去部１１０１からの信号に対して、ゲイン制御を行い、BB処理部１１４に入力する。つまり、DGC１１２１は、必要に応じて、干渉除去部１１０１からの信号を増幅する。
【００３７】
基地局１００は、CPU１２２を有する。CPU１２２は、干渉除去部１１０１、干渉除去部１１０２と接続される。CPU１２２は、干渉除去部１１０１、干渉除去部１１０２として、基地局１００を機能させる。CPU１２２の代わりに、MPUが利用されてもよいし、DSPが利用されてもよい。
【００３８】
＜干渉除去部１１０１＞
図５は、干渉除去部１１０１の詳細を示す。干渉除去部１１０１の処理は、CPU１２２により実現される。
【００３９】
干渉除去部１１０１は、干渉検出部１１０２１を有する。干渉検出部１１０２１は、フィルタ１０８１と接続される。干渉検出部１１０２１は、フィルタ１０８１からの信号に干渉波が含まれるかどうかを判定する。干渉検出部１１０２１は、フィルタ１０８１からの信号に干渉波が含まれる場合、干渉波を検出する。干渉検出部１１０２１は、干渉波に基づいて、フィルタ１０８１からの信号から干渉波を除去する際に適用すべきフィルタのフィルタ係数を選択する。干渉検出部１１０２１は、干渉除去処理部１１１８１に、フィルタ係数を表す情報を入力する。
【００４０】
干渉除去部１１０１は、干渉除去処理部１１１８１を有する。干渉除去処理部１１１８１は、フィルタ１０８１と、干渉検出部１１０２１と接続される。干渉除去処理部１１１８１は、干渉検出部１１０２１により入力されるべきフィルタ係数を有する複素ノッチフィルタにより、フィルタ１０８１からの信号から干渉波を除去する処理を行う。干渉除去処理部１１１８１は、DGC１１２１に、干渉波を除去する処理が行われた信号を入力する。
【００４１】
干渉検出部１１０２１について説明する。
【００４２】
干渉検出部１１０２１は、ウインドウ乗算部１１０４１を有する。ウインドウ乗算部１１０４１は、フィルタ１０８１からの信号に、窓関数を乗算し、高速フーリエ変換部１１０６１に入力する。
【００４３】
干渉検出部１１０２１は、高速フーリエ変換部１１０６１を有する。高速フーリエ変換部１１０６１は、ウインドウ乗算部１１０４１と接続される。高速フーリエ変換部１１０６１は、ウインドウ乗算部１１０４１からの信号を高速フーリエ変換し、信号レベル算出部１１０８１に入力する。
【００４４】
干渉検出部１１０２１は、信号レベル算出部１１０８１を有する。信号レベル算出部１１０８１は、高速フーリエ変換部１１０６１からの信号に基づいて信号レベルの計算を行う。つまり、信号レベル算出部１１０８１は、高速フーリエ変換部１１０６１からのI信号、Q信号に基づいて、電力計算を行う。信号レベル算出部１１０８１は、平均化部１１１０１に、電力計算値を入力する。
【００４５】
干渉検出部１１０２１は、平均化部１１１０１を有する。平均化部１１１０１は、信号レベル算出部１１０８１と接続される。平均化部１１１０１は、信号レベル算出部１１０８１により入力されるべき電力計算値を平均化する。つまり、平均化部１１１０１は、信号レベル算出部１１０８１からの電力計算値に基づいて、所定回数の電力計算値を平均化することにより平均値を求める。具体的には、信号レベル算出部１１０８１から電力計算値が１６回入力された際に、平均化することにより平均値を求めるようにしてもよい。回数は一例であり、適切な値が設定される。平均化部１１１０１は、閾値設定部１１１４１と、ピーク検出部１１１２１に、信号レベルとして、平均値を入力する。
【００４６】
図６は、平均化部１１１０１から出力されるべき信号の一例を示す。図６において、横軸は周波数、縦軸は信号レベルである。該信号レベルは、電力計算値を平均化することにより求められた平均値により表されてもよい。希望波とともに、干渉波が受信される。希望波とともに妨害波が受信された場合についても同様である。図６に示される例では、FM変調波が妨害波として受信される例が示される。図６に示される例では、周波数がｆ０の場合に、FM変調波によるピークが得られる。
【００４７】
干渉検出部１１０２１は、閾値設定部１１１４１を有する。閾値設定部１１１４１は、平均化部１１１０１と接続される。閾値設定部１１１４１は、閾値を算出する。つまり、閾値設定部１１１４１は、平均化部１１１０１からの信号のうち、所定数のポイントを除外して、閾値を算出するようにしてもよい。具体的には、閾値設定部１１１４１は、平均化部１１１０１からの信号の信号レベルのうち、信号レベルの高い方から６４ポイントを除外した後、平均化する。信号レベルの高い方から６４ポイントを除外することにより測定エラー等による影響を低減できる。閾値設定部１１１４１は、該平均化されたものにマージンを加えた値を閾値としてもよい。マージンを適切に設定することにより、干渉波の検出精度を調整できる。６４ポイントは一例であり、適切な値が設定される。閾値設定部１１１４１は、ピーク検出部１１１２１に、閾値を入力する。
【００４８】
図７は、閾値設定部１１１４１から出力されるべき信号を説明するための図を示す。図７において、横軸は周波数、縦軸は信号レベルである。閾値設定部１１１４１は、平均化部１１１０１からの信号のうち、信号レベルの高い方から６４ポイントを除外する。閾値設定部１１１４１は、信号レベルの高い方から６４ポイントを除外したものの平均を求める。該平均は、図７では、「６４ポイント除去後の平均電力」により表される。閾値設定部１１１４１は、該平均に所定のマージンを加えることにより閾値を設定する。
【００４９】
干渉検出部１１０２１は、ピーク検出部１１１２１を有する。ピーク検出部１１１２１は、閾値設定部１１１４１と、平均化部１１１０１と接続される。ピーク検出部１１１２１は、平均化部１１１０１により入力されるべき信号のうち、閾値設定部１１１４１により入力されるべき閾値以上となる信号レベルを有し、且つ最大（ピーク）となる信号レベルを有する信号（以下、「ピーク信号」という）を検出する。閾値以上となる信号レベルを有する信号を検出することにより、干渉波を検出できる。最大（ピーク）となる信号レベルを有する信号を検出することにより、該干渉波を除去する処理に使用されるべきフィルタ係数を選択できる。さらに、ピーク検出部１１１２１は、ピーク信号を表す情報を、フィルタ係数選択部１１１６１に入力する。つまり、ピーク検出部１１１２１は、平均化部１１１０１により入力されるべき信号のうち、閾値設定部１１１４１により入力されるべき閾値以上となる信号レベルを有し、且つ最大となる信号レベルを有する信号の識別子をフィルタ係数選択部１１１６１に入力する。識別子は、周波数を識別するための識別番号（以下、「周波数番号」という）により表されてもよい。
【００５０】
図８は、ピーク検出部１１１２１から出力されるべき周波数番号を説明するための図を示す。図８において、横軸は周波数、縦軸は信号レベルである。ピーク検出部１１１２１は、平均化部１１１０１からの信号のうち、閾値設定部１１１４１により入力されるべき閾値以上となる信号レベルを有し、且つ最大となる信号レベルを有する信号を検出し、該検出された信号に対応する周波数を表す情報を出力する。図８に示される例では、平均化部１１１０１からの信号のうち、閾値設定部１１１４１により入力されるべき閾値以上となる信号レベルを有する信号の周波数番号として、ｆ０が出力される。
【００５１】
干渉検出部１１０２１は、フィルタ係数選択部１１１６１を有する。フィルタ係数選択部１１１６１は、ピーク検出部１１１２１と接続される。フィルタ係数選択部１１１６１は、ピーク検出部１１１２１により入力されるべき周波数番号に基づいて、干渉除去処理部１１１８１により干渉波を除去する処理が行われる際に使用されるべき複素ノッチフィルタのフィルタ係数を選択する。つまり、フィルタ係数選択部１１１６１は、アンテナ#1により受信された信号から検出された干渉波の周波数と、フィルタ係数とを対応づけたテーブル（以下、「アンテナ#1用干渉波検出周波数フィルタ係数対応テーブル」という）を参照し、ピーク検出部１１１２１により入力されるべき周波数番号に対応するフィルタ係数を選択する。フィルタ係数選択部１１１６１は、干渉除去処理部１１１８１に、フィルタ係数を入力する。
【００５２】
図９は、アンテナ#1用干渉波検出周波数フィルタ係数対応テーブルの一例を示す。図９には、アンテナ#1により受信された信号から検出された干渉波の周波数と、フィルタ係数とを対応づけたテーブルが示される。干渉波の周波数は、ピーク信号が検出された周波数により表されてもよい。つまり、ピーク検出部１１１２１からの周波数番号により表される周波数が「××MHz」により表される場合に、複素ノッチフィルタサイン周波数として「××MHz+Δf/2」、フィルタ係数として「aaaa」が選択される。ピーク検出部１１１２１からの周波数番号により表される周波数が「○○MHz」により表される場合に、複素ノッチフィルタサイン周波数として○○MHz+Δf/2、フィルタ係数として「vvvv」が選択される。つまり、アンテナ#1用干渉波検出周波数フィルタ係数対応テーブルには、ピーク信号の周波数からプラスの方向に周波数をシフトさせた周波数が複素ノッチフィルタサイン周波数とされ、該複素ノッチフィルタサイン周波数に対応するフィルタ係数が規定される。
【００５３】
干渉除去処理部１１１８１は、フィルタ係数選択部１１１６１からのフィルタ係数を有する複素ノッチフィルタを適用し、フィルタ１０８１からのデジタル信号から干渉波成分を除去するための処理を行い、DGC１１２１入力する。干渉除去処理部１１１８１の出力信号は、図４において（４）に対応する出力信号に示されるように、図４において（３）に対応する出力信号を、ピーク検出部１１１２１により検出されるべきピーク信号の周波数にΔf/2を加算した周波数を中心周波数とする複素ノッチフィルタで、フィルタリングされたものとなる。従って、ピーク信号の周波数に対して、高周波数側の位相雑音が除去され、低周波数側の位相雑音の切れ残りが多い出力波形となる。
【００５４】
基地局１００は、RF部１０２２を有する。RF部１０２２は、アンテナ#2と接続される。RF部１０２２は、アンテナ#2からの無線信号を受信し、混合器１０４２に入力する。RF部１０２２の出力信号は、図４において（５）に対応する出力信号に示されるように、希望波と、フロアーノイズと、干渉波とが含まれる。
【００５５】
基地局１００は、混合器１０４２を有する。混合器１０４２は、RF部１０２２と、分配器１１８と接続される。混合器１０４２は、分配器１１８からのローカル信号と、RF部１０２２からの信号とをミキシングすることにより中間周波数の信号に変換し、ADC１０６２に入力する。中間周波数の信号に変換する際に、電圧制御発振器１１６からのローカル信号の位相雑音が、該中間周波数の信号に付着する場合がある。
【００５６】
基地局１００は、ADC１０６２を有する。ADC１０６２は、混合器１０４２と接続される。ADC１０６２は、デジタル信号に、混合器１０４２からの信号を変換する。該ADC１０６２は、フィルタ１０８２に、該デジタル信号を入力する。ADC１０６２からの出力信号は、図４において（６）に対応する出力信号に示されるように、希望波と、フロアーノイズと、干渉波とが含まれ、さらに、ローカル信号の位相雑音が、干渉波の周波数の近傍の周波数に現れる。
【００５７】
基地局１００は、フィルタ１０８２を有する。フィルタ１０８２は、ADC１０６２と接続される。フィルタ１０８２は、ADC１０６２からの信号から不要な周波数成分の信号を除去し、干渉除去部１１０２に入力する。
【００５８】
基地局１００は、干渉除去部１１０２を有する。干渉除去部１１０２は、フィルタ１０８２と接続される。干渉除去部１１０２は、フィルタ１０８２からのデジタル信号から干渉波成分を除去するための処理を行い、DGC１１２２入力する。
【００５９】
基地局１００は、DGC１１２２を有する。DGC１１２２は、干渉除去部１１０２からの信号に対して、ゲイン制御を行い、BB処理部１１４に入力する。つまり、DGC１１２２は、必要に応じて、干渉除去部１１０２からの信号を増幅する。
【００６０】
＜干渉除去部１１０２＞
図１０は、干渉除去部１１０２の詳細を示す。各機能ブロックにおける処理は、干渉除去部１１０１と略同一である。干渉除去部１１０２の処理は、CPU１２２により実現される。
【００６１】
フィルタ係数選択部１１１６２は、ピーク検出部１１１２２と接続される。フィルタ係数選択部１１１６２は、ピーク検出部１１１２２により入力されるべき周波数番号に基づいて、干渉除去処理部１１１８２により干渉波除去が行われる際に使用されるべき複素ノッチフィルタのフィルタ係数を選択する。つまり、フィルタ係数選択部１１１６２は、アンテナ#2により受信された信号から検出された干渉波の周波数と、フィルタ係数とを対応づけたテーブル（以下、「アンテナ#2用干渉波検出周波数フィルタ係数対応テーブル」という）を参照し、ピーク検出部１１１２２により入力されるべき周波数番号に対応するフィルタ係数を選択する。フィルタ係数選択部１１１６２は、干渉除去処理部１１１８２に、フィルタ係数を入力する。
【００６２】
図１１は、アンテナ#2用干渉波検出周波数フィルタ係数対応テーブルの一例を示す。図１１には、アンテナ#2により受信された信号から検出された干渉波の周波数と、フィルタ係数とを対応づけたテーブルが示される。干渉波の周波数は、ピーク信号が検出された周波数により表されてもよい。つまり、ピーク検出部１１１２２からの周波数番号により表される周波数が「××MHz」により表される場合に、複素ノッチフィルタサイン周波数として「××MHz-Δf/2」、フィルタ係数として「bbbb」が選択される。ピーク検出部１１１２２からの周波数番号により表される周波数が「○○MHz」により表される場合に、複素ノッチフィルタサイン周波数として「○○MHz-Δf/2」、フィルタ係数として「yyyy」が選択される。つまり、アンテナ#2用干渉波検出周波数フィルタ係数対応テーブルには、ピーク信号の周波数からマイナスの方向に周波数をシフトさせた周波数が複素ノッチフィルタサイン周波数とされ、該複素ノッチフィルタサイン周波数に対応するフィルタ係数が規定される。
【００６３】
干渉除去処理部１１１８２は、フィルタ係数選択部１１１６２からのフィルタ係数を有する複素ノッチフィルタを適用し、フィルタ１０８２からのデジタル信号から干渉波成分を除去するための処理を行い、DGC１１２２入力する。干渉除去処理部１１１８２の出力信号は、図４において（７）に対応する出力信号に示されるように、図４において（６）に対応する出力信号を、ピーク検出部１１１２２により検出されるべきピーク信号の周波数からΔf/2を減算した周波数を中心周波数とする複素ノッチフィルタで、フィルタリングされたものとなる。従って、ピーク信号の周波数に対して、低周波数側の位相雑音が除去され、高周波数側の位相雑音の切れ残りが多い出力波形となる。
【００６４】
アンテナ#1用干渉波検出周波数フィルタ係数対応テーブルにより設定される複素ノッチフィルタサイン周波数と、アンテナ#2用干渉波検出周波数フィルタ係数対応テーブルにより設定される複素ノッチフィルタサイン周波数との間の差分Δfについて説明する。
【００６５】
図１２は、アンテナ#1用の複素ノッチフィルタと、アンテナ#2用の複素ノッチフィルタとの間のフィルタ離調周波数と、ビットエラーレートとの間の関係を示す。
【００６６】
アンテナ#1により受信された信号に使用される複素ノッチフィルタの中心周波数と、アンテナ#2により受信された信号に使用される複素ノッチフィルタの中心周波数とが同じである場合、複素ノッチフィルタで除去できなかった付着位相雑音が相関を有する。付着位相雑音が相関を有するため、複素ノッチフィルタからの出力信号がダイバーシチ合成された信号では、雑音成分が強調される。
【００６７】
基地局１００は、アンテナ#1により受信された信号に使用されるべき複素ノッチフィルタの中心周波数と、アンテナ#2により受信された信号に使用されるべき複素ノッチフィルタの中心周波数とが異なる値に設定される。図１２によれば、アンテナ#1により受信された信号に使用されるべき複素ノッチフィルタの中心周波数と、アンテナ#2により受信された信号に使用されるべき複素ノッチフィルタの中心周波数との差（以下、「周波数差」という）を大きくすることにより、BERが減少し、最小値と取った後、増加する。従って、本実施例では、周波数差をBERが最小値をとるΔｆに設定する。
【００６８】
基地局１００は、BB処理部１１４を有する。BB処理部１１４は、DGC１１２１と、DGC１１２２と接続される。BB処理部１１４は、DGC１１２１からの信号と、DGC１１２２からの信号とをダイバーシチ合成する。BB処理部１１４は、無線ネットワーク制御装置１２０に、ダイバーシチ合成された信号を入力する。
【００６９】
DGC１１２１からの信号は干渉除去処理部１１１８１により干渉波を除去する処理がなされた信号であり、DGC１１２２からの信号は干渉除去処理部１１１８２により干渉波を除去する処理がなされた信号である。干渉除去処理部１１１８１により干渉波を除去する処理がなされる際に使用される複素ノッチフィルタのフィルタ係数と、干渉除去処理部１１１８２により干渉波を除去する処理がなされる際に使用される複素ノッチフィルタのフィルタ係数とは異なるものが使用されるため、DGC１１２１からの信号に含まれる付着位相雑音の周波数と、DGC１１２２からの信号に含まれる付着位相雑音の周波数とは異なる部分が多いものとなる。つまり、DGC１１２１からの信号に含まれる付着位相雑音と、DGC１１２２からの信号に含まれる付着位相雑音との周波数軸上の重なりが少なくなる。従って、DGC１１２１からの信号と、DGC１１２２からの信号とがダイバーシチ合成された信号は、最大比合成利得が十分に得られた信号となり、ダイバーシチ効果を向上させることができる。BB処理部１１４の出力信号は、図４において（８）に対応する出力信号に示されるように、図４において（４）に対応する出力信号と、図４において（７）に対応する出力信号とを合成したものとなる。図４において（４）に対応する出力信号は、ピーク信号の周波数に対して、低周波数側の位相雑音の切れ残りが多い波形である。図４において（７）に対応する出力信号は、ピーク信号の周波数に対して、高周波数側の位相雑音の切れ残りが多い波形である。従って、位相雑音の切れ残りが多い部分が重ならないため、ダイバーシチ合成された信号では、位相雑音成分が低減される。
【００７０】
基地局１００は、無線ネットワーク制御装置１２０を有する。無線ネットワーク制御装置１２０は、BB処理部１１４と接続される。無線ネットワーク制御装置１２０は、BB処理部１１４からの信号に基づいて、所定の処理を行う。例えば、BB処理部１１４からの信号の宛先に転送するようにしてもよい。
【００７１】
＜基地局１００の動作＞
図１３は、基地局１００の動作の一実施例を示す。
【００７２】
基地局１００は、アンテナ#1により無線信号が受信される（ステップＳ１３０２）。つまり、アンテナ#1からの無線信号は、RF部１０２１により受信される。
【００７３】
基地局１００は、ステップＳ１３０２により受信された信号をダウンコンバートする（ステップＳ１３０４）。つまり、混合器１０４１は、分配器１１８からのローカル信号と、RF部１０２１からの信号とをミキシングすることにより中間周波数の信号に変換する。
【００７４】
基地局１００は、デジタル信号に、ステップ１３０４によりダウンコンバートされた信号を変換する（ステップＳ１３０６）。つまり、ADC１０６１は、デジタル信号に、混合器１０４１からの中間周波数の信号を変換する。
【００７５】
基地局１００は、ステップＳ１３０６によりデジタル信号に変換された信号から、干渉波を検出する（ステップＳ１３０８）。つまり、干渉検出部１１０２１のピーク検出部１１１２１は、ステップＳ１３０６によりデジタル信号に変換された信号から、干渉波を検出する。
【００７６】
干渉波が検出された場合（ステップＳ１３０８：ＹＥＳ）、基地局１００は、アンテナ#1用干渉波検出周波数フィルタ係数対応テーブルから、干渉波の周波数番号に対応するフィルタ係数を選択する（ステップＳ１３１０）。つまり、フィルタ係数選択部１１１６１は、ピーク検出部１１１２１からの周波数番号に対応するフィルタ係数を選択する。
【００７７】
基地局１００は、ステップＳ１３１０により選択されたフィルタ係数をアサインする（ステップＳ１３１２）。つまり、干渉除去処理部１１１８１は、フィルタ係数選択部１１１６１により選択されたフィルタ係数に対応する複素ノッチフィルタを割り当てる。
【００７８】
基地局１００は、ステップＳ１３１２によりアサインされた複素ノッチフィルタにより、干渉波を除去する（ステップＳ１３１４）。つまり、干渉除去処理部１１１８１は、ステップＳ１３１２により割り当てられた複素ノッチフィルタにより、フィルタ１０８１からの信号から干渉波を除去する処理を行う。
【００７９】
一方、基地局１００は、アンテナ#2により無線信号が受信される（ステップＳ１３１６）。つまり、アンテナ#2からの無線信号は、RF部１０２２により受信される。
【００８０】
基地局１００は、ステップＳ１３１６により受信された信号をダウンコンバートする（ステップＳ１３１８）。つまり、混合器１０４２は、分配器１１８からのローカル信号と、RF部１０２２からの信号とをミキシングすることにより中間周波数の信号に変換する。
【００８１】
基地局１００は、デジタル信号に、ステップ１３１８によりダウンコンバートされた信号を変換する（ステップＳ１３２０）。つまり、ADC１０６２は、デジタル信号に、混合器１０４２からの中間周波数の信号を変換する。
【００８２】
基地局１００は、ステップＳ１３２０によりデジタル信号に変換された信号から、干渉波を検出する（ステップＳ１３２２）。つまり、干渉検出部１１０２２のピーク検出部１１１２２は、ステップＳ１３２０によりデジタル信号に変換された信号から、干渉波を検出する。
【００８３】
干渉波が検出された場合（ステップＳ１３２２：ＹＥＳ）、基地局１００は、アンテナ#2用干渉波検出周波数フィルタ係数対応テーブルから、干渉波のピーク信号の周波数番号に対応するフィルタ係数を選択する（ステップＳ１３２４）。つまり、フィルタ係数選択部１１１６２は、ピーク検出部１１１２２からの周波数番号に対応するフィルタ係数を選択する。
【００８４】
基地局１００は、ステップＳ１３２４により選択されたフィルタ係数をアサインする（ステップＳ１３２６）。つまり、干渉除去処理部１１１８２は、フィルタ係数選択部１１１６２により選択されたフィルタ係数に対応する複素ノッチフィルタを割り当てる。
【００８５】
基地局１００は、ステップＳ１３２６によりアサインされた複素ノッチフィルタにより、干渉波を除去する（ステップＳ１３２８）。つまり、干渉除去処理部１１１８２は、ステップＳ１３２６により割り当てられた複素ノッチフィルタにより、フィルタ１０８２からの信号から干渉波を除去する処理を行う。
【００８６】
ステップＳ１３１４により干渉波を除去する処理がなされた信号と、ステップＳ１３２８により干渉波を除去する処理がなされた信号とをダイバーシチ合成する（ステップＳ１３３０）。つまり、BB処理部１１４は、DGC１１２１によりデジタルゲイン制御が行われた干渉除去処理部１１１８１からの信号と、DGC１１２２によりデジタルゲイン制御が行われた干渉除去処理部１１１８２からの信号とをダイバーシチ合成する。
【００８７】
ステップＳ１３３０によりダイバーシチ合成されて信号は、無線ネットワーク制御装置１２０により所定の処理が行われる。
【００８８】
本実施例によれば、複数のアンテナを有し、各アンテナからの信号と混合されるべきローカル信号を発生する回路を共通にした場合であっても、受信品質を向上させることができ、ダイバーシチの効果を向上できる。具体的には、希望波に加え、干渉波や、妨害波が受信される場合に、付着する位相雑音を低減できる。
【００８９】
以上の実施例を含む実施形態に関し、更に以下の付記を開示する。
（付記１）
複数のアンテナと、
ローカル信号を発生するローカル信号発生部と、
前記複数のアンテナのうち、第１のアンテナからの信号と、前記ローカル信号発生部からのローカル信号とを混合する第１の混合器と、
デジタル信号に、前記第１の混合器からの信号を変換する第１のアナログデジタル変換部と、
第１のアナログデジタル変換部からの第１の信号に基づいて、第１の干渉波を検出する第１の干渉波検出部と、
該第１の干渉波検出部により検出されるべき第１の干渉波に基づいて、該第１の干渉波の中心周波数を第１の方向にシフトさせた周波数を中心周波数とする第１のフィルタにより、前記第１の信号から前記第１の干渉波を除去する処理を行う第１の干渉波除去部と、
前記複数のアンテナのうち、第２のアンテナからの信号と、前記ローカル信号発生部からのローカル信号とを混合する第２の混合器と、
デジタル信号に、前記第２の混合器からの信号を変換する第２のアナログデジタル変換部と、
第２のアナログデジタル変換部からの第２の信号に基づいて、第２の干渉波を検出する第２の干渉波検出部と、
該第２の干渉波検出部により検出されるべき第２の干渉波に基づいて、該第２の干渉波の中心周波数を第２の方向にシフトさせた周波数を中心周波数とする第２のフィルタにより、前記第２の信号から前記第２の干渉波を除去する処理を行う第２の干渉波除去部と、
前記第１の干渉波除去部から出力されるべき信号と、前記第２の干渉波除去部から出力されるべき信号とを合成する合成部と
を有する、基地局。
（付記２）
付記１に記載の基地局において、
前記第１の干渉波検出部は、
前記第１の信号を高速フーリエ変換する第１の高速フーリエ変換部と、
該第１の高速フーリエ変換部により高速フーリエ変換された第１の信号の信号レベルを算出する第１の信号レベル算出部と、
該第１の信号レベル算出部により算出された第１の信号レベルを平均化する第１の平均化部と、
該第１の平均化部により平均化された第１の信号レベルに基づいて、前記第１の干渉波を検出する際に使用すべき第１の閾値を設定する第１の閾値設定部と、
該第１の閾値設定部により設定されるべき第１の閾値に基づいて、前記第１の平均化部により出力されるべき信号から前記第１の閾値以上であり、且つ信号レベルが最大となるピーク信号を検出する第１のピーク検出部と
を有し、
前記第１の干渉波除去部は、前記第１のピーク検出部により検出されるべきピーク信号に基づいて選択されるべき第１のフィルタにより、前記第１の信号から前記第１の干渉波を除去する処理を行い、
前記第２の干渉波検出部は、
前記第２の信号を高速フーリエ変換する第２の高速フーリエ変換部と、
該第２の高速フーリエ変換部により高速フーリエ変換された第２の信号の信号レベルを算出する第２の信号レベル算出部と、
該第２の信号レベル算出部により算出された第２の信号レベルを平均化する第２の平均化部と、
該第２の平均化部により平均化された第２の信号レベルに基づいて、前記第２の干渉波を検出する際に使用すべき第２の閾値を設定する第２の閾値設定部と、
該第２の閾値設定部により設定されるべき第２の閾値に基づいて、前記第２の平均化部により出力されるべき信号から前記第２の閾値以上であり、且つ信号レベルが最大となるピーク信号を検出する第２のピーク検出部と
を有し、
前記第２の干渉波除去部は、前記第２のピーク検出部により検出されるべきピーク信号に基づいて選択されるべき第２のフィルタにより、前記第２の信号から前記第２の干渉波を除去する処理を行う、基地局。
（付記３）
付記２に記載の基地局において、
干渉波が検出された周波数と、該干渉波の中心周波数を前記第１の方向にシフトさせた周波数を中心周波数とするフィルタとを対応付けた第１のテーブルと、
干渉波が検出された周波数と、該干渉波の中心周波数を前記第２の方向にシフトさせた周波数を中心周波数とするフィルタとを対応付けた第２のテーブルと
を有し、
前記第１の干渉波除去部は、前記第１のテーブルを参照し、前記第１のピーク検出部により検出されるべきピーク信号に基づいて、第１のフィルタを選択し、
前記第２の干渉波除去部は、前記第２のテーブルを参照し、前記第２のピーク検出部により検出されるべきピーク信号に基づいて、第２のフィルタを選択する、基地局。
（付記４）
複数のアンテナを有する受信装置における受信方法であって、
ローカル信号を発生するローカル信号発生ステップと、
前記複数のアンテナのうち、第１のアンテナからの信号と、前記ローカル信号発生ステップからのローカル信号とを混合する第１の混合ステップと、
デジタル信号に、前記第１の混合ステップにより出力されるべき信号を変換する第１のアナログデジタル変換ステップと、
第１のアナログデジタル変換ステップにより出力されるべき第１の信号に基づいて、第１の干渉波を検出する第１の干渉波検出ステップと、
該第１の干渉波検出ステップにより検出されるべき第１の干渉波に基づいて、該第１の干渉波の中心周波数を第１の方向にシフトさせた周波数を中心周波数とする第１のフィルタにより、前記第１の信号から前記第１の干渉波を除去する処理を行う第１の干渉波除去ステップと、
前記複数のアンテナのうち、第２のアンテナからの信号と、前記ローカル信号発生ステップからのローカル信号とを混合する第２の混合ステップと、
デジタル信号に、前記第２の混合ステップにより出力されるべき信号を変換する第２のアナログデジタル変換ステップと、
第２のアナログデジタル変換ステップにより出力されるべき第２の信号に基づいて、第２の干渉波を検出する第２の干渉波検出ステップと、
該第２の干渉波検出ステップにより検出されるべき第２の干渉波に基づいて、該第２の干渉波の中心周波数を第２の方向にシフトさせた周波数を中心周波数とする第２のフィルタにより、前記第２の信号から前記第２の干渉波を除去する処理を行う第２の干渉波除去ステップと、
前記第１の干渉波除去ステップから出力されるべき信号と、前記第２の干渉波除去ステップから出力されるべき信号とを合成する合成ステップと
を有する、受信方法。
（付記５）
付記１に記載の基地局において、
前記第１の方向へのシフト量、及び第２の方向のシフト量は、ビットエラーレートに基づいて設定される、基地局。
（付記６）
請求項３に記載の基地局において、
前記第１のテーブルは、干渉波が検出された周波数と、該干渉波の中心周波数を前記第１の方向にシフトさせた周波数を中心周波数とするフィルタのフィルタ係数とを対応付け、
前記第２のテーブルは、干渉波が検出された周波数と、該干渉波の中心周波数を前記第２の方向にシフトさせた周波数を中心周波数とするフィルタのフィルタ係数とを対応付け、
前記第１の干渉波除去部は、前記第１のテーブルを参照し、前記第１のピーク検出部により検出されるべきピーク信号に基づいて、第１のフィルタのフィルタ係数を選択し、
前記第２の干渉波除去部は、前記第２のテーブルを参照し、前記第２のピーク検出部により検出されるべきピーク信号に基づいて、第２のフィルタのフィルタ係数を選択する、基地局。
【符号の説明】
【００９０】
１０  受信装置
１２  RF部
１４  ADC
１６  フィルタ
１８  干渉除去部
１８２  干渉波検出部
１８４  干渉除去処理部
２０  DGC
２２  BB処理部
５２１、５２２  RF部
５４１、５４２  混合器
５６１、５６２  ADC
５８１、５８２  複素ノッチフィルタ
６０  BB処理部
６２  電圧制御発振器
６４  分配器
１００  基地局
１０２１、１０２２  RF部
１０４１、１０４２  混合器
１０６１、１０６２  ADC
１０８１、１０８２  フィルタ
１１０１、１１０２  干渉除去部
１１０２１、１１０２２  干渉検出部
１１０４１、１１０４２  ウインドウ乗算部
１１０６１、１１０６２  高速フーリエ変換部
１１０８１、１１０８２  信号レベル算出部
１１１０１、１１１０２  平均化部
１１１２１、１１１２２  ピーク検出部
１１１４１、１１１４２  閾値設定部
１１１６１、１１１６２  フィルタ係数選択部
１１１８１、１１１８２  干渉除去処理部
１１２１、１１２２  DGC
１１４  BB処理部
１１６  電圧制御発振器
１１８  分配器
１２０  無線ネットワーク制御装置
１２２  CPU
【図１】
0005640888.tif 000002
【図２】
0005640888.tif 000003
【図３】
0005640888.tif 000004
【図４】
0005640888.tif 000005
【図５】
0005640888.tif 000006
【図６】
0005640888.tif 000007
【図７】
0005640888.tif 000008
【図８】
0005640888.tif 000009
【図９】
0005640888.tif 000010
【図１０】
0005640888.tif 000011
【図１１】
0005640888.tif 000012
【図１２】
0005640888.tif 000013
【図１３】
0005640888.tif 000014